【手続補正書】
【提出日】令和3年12月2日(2021.12.2)
【手続補正１】
【補正対象書類名】特許請求の範囲
【補正対象項目名】全文
【補正方法】変更
【補正の内容】
【特許請求の範囲】
【請求項１】
電気エネルギーおよび熱エネルギーの少なくとも一方を発生させる発電システムであって、
圧力を大気圧よりも低く、大気圧と同じに、または大気圧を超えて維持できる少なくとも１つの容器と、
反応物であり、
（ａ）少なくとも１つの新生Ｈ２Ｏの供給源、
（ｂ）Ｈ２Ｏ、またはＨ２Ｏの少なくとも１つの供給源、および
（ｃ）原子状水素、または少なくとも１つの原子状水素の供給源を含む前記反応物と、
注入のために溶融金属を供給する少なくとも１つの注入器貯留槽と、注入器貯留槽内の溶融金属から溶融金属流を提供する注入器管が接続された溶融金属ポンプと、および溶融金属流を受け取る少なくとも１つの非注入器貯留槽とを含む溶融金属注入器システムと、ここで、溶融金属流は反応物と接触し、
反応物の反応を形成するプラズマを点火するために電力を供給する電源を含む少なくとも１つの点火システムと、
反応物の反応を形成するプラズマにおいて消費される反応物を補充する少なくとも１つの反応物供給システムと、
プラズマから光および熱出力の少なくとも１つを電力および／または熱エネルギーへとの少なくとも１つの電力変換器または出力システムと、を含む発電システム。
【請求項２】
請求項１に記載の発電システムであって、金属を溶融して溶融金属を含むためのヒータを、さらに含む発電システム。
【請求項３】
請求項１に記載の発電システムであって、溶媒金属回収システムをさらに含む発電システム。
【請求項４】
請求項３に記載の発電システムであって、前記溶媒金属回収システムは、溶融金属オーバーフローを止め、オーバーフローする溶融金属を通過する電流経路を中断する非注入貯留槽から注入器システム貯留槽への少なくとも１つの溶融金属オーバーフローチャネルを備える溶媒金属回収システム。
【請求項５】
請求項１の発電システムであって、前記溶媒金属回収システムは、前記注入器管の上方の高さで注入器システムの注入器管から溶融金属を受け取るための入口を有する非注入器貯留槽を備え、さらに、オーバーフローを分割するドリップ縁部を備える発電システム。
【請求項６】
請求項５に記載の発電システムであって、前記非注入器貯留槽の入口は平面にあり、平面は注入管からの溶融金属流の初期方向に対して垂直に配向される発電システム。
【請求項７】
請求項１に記載の発電システムであって、前記注入器貯留槽がその中の溶融金属と接触する電極を備え、かつ前記非注入器貯留槽が前記注入器システムによって提供される溶融金属と接触する電極を備える発電システム。
【請求項８】
請求項７に記載の発電システムであって．前記注入器および前記非注入器貯留槽の電極に反対の電圧を供給し、前記溶融金属流に電流および電力を供給して、反応物の反応により前記容器内にプラズマを形成する電源を備える発電システム。
【請求項９】
請求項１に記載の発電システムであって、注入器貯留槽が、第１の電磁ポンプと流体連絡し、非注入器貯留槽が、第２の電磁ポンプと流体連絡し、電磁ポンプの各々が、
（ａ）電極を介して溶融金属に供給される直流または交流電流源と一定または同相の交流ベクトル交差磁場源とを含む直流または交流伝導型、あるいは、
（ｂ）金属に交流電流を誘導する溶融金属の短絡ループを通る交流磁場源と同相ベクトル交差交流磁場とを含む誘導型の１つを備える発電システム。
【請求項１０】
請求項１に記載の発電システムであって、溶融金属点火システムの発電からの電流が、１０Ａ〜５０，０００Ａの範囲内である発電システム。
【請求項１１】
請求項１に記載の発電システムであって、前記溶融金属が、ビスマス、鉛、スズ、インジウム、カドミウム、好ましくはガリウム、アンチモン、または合金、例えばローズメタル、セロセーフ、ウッドメタル、フィールドメタル、セロロー１３６、セロロー１１７、Ｂｉ−Ｐｂ−Ｓｎ−Ｃｄ−Ｉｎ−Ｔｌ、およびガリンスタンの少なくとも１つを含む発電システム。
【請求項１２】
請求項１に記載の発電システムであって、前記少なくとも１つの貯留槽が、窒化ホウ素を含む発電システム。
【請求項１３】
請求項１に記載の発電システムであって、前記反応物が、水素、酸素、および水の少なくとも１つを含む容器ガスを含む発電システム。
【請求項１４】
請求項１３に記載の発電システムであって、前記反応物の供給と不活性ガスの供給とをさらに備え、該供給が、前記容器ガスを０．０１トルから２００気圧の範囲内の圧力に維持する発電システム。
【請求項１５】
請求項１に記載の発電システムであって、反応によって形成される生成物が、
（ａ）ラマンピークが１９００〜２０００ｃｍ−１の水素生成物と、
（ｂ）０．２３〜０．２５ｅＶの整数倍の間隔で配置された複数のラマンピークを有する水素生成物と、
（ｃ）１９００〜２０００ｃｍ−１に赤外線ピークを持つ水素生成物と、
（ｄ）０．２３〜０．２５ｅＶの整数倍の間隔で配置された複数の赤外線ピークを有する水素生成物と、
（ｅ）０．２３〜０．３ｅＶの整数倍の間隔を有する、２００〜３００ｎｍの範囲の複数のＵＶ蛍光発光スペクトルピークを有する水素生成物と、
（ｆ）０．２〜０．３ｅＶの整数倍の間隔を有する２００〜３００ｎｍの範囲に複数の電子ビーム放出スペクトルピークを有する水素生成物と、
（ｇ）５０００±２０，０００ｃｍ−１の範囲の複数のラマンスペクトルピークを有し、１０００±２００ｃｍ−１の整数倍の間隔を有する水素生成物と、
（ｈ）４９０〜５２５ｅＶの範囲のエネルギーでＸ線光電子分光法のピークを有する水素生成物と、
（ｉ）高磁場ＭＡＳ  ＮＭＲマトリックスシフトを引き起こす水素生成物と、
（ｊ）ＴＭＳに対して−５ｐｐｍを超える高磁場ＭＡＳ  ＮＭＲまたは液体ＮＭＲシフトを持つ水素生成物と、
（ｋ）マクロ凝縮物またはポリマーＨｎ（ｎは３より大きい整数）を含む水素生成物と、
（ｌ）飛行時間二次イオン質量分析（ＴｏＦ−ＳＩＭＳ）ピークが１６．１２〜１６．１３であるマクロ凝縮物またはポリマーＨｎ（ｎは３より大きい整数）を含む水素生成物と、
（ｍ）金属が、Ｚｎ、Ｆｅ、Ｍｏ、Ｃｒ、Ｃｕ、およびＷの少なくとも１つを含む金属水素化物を含む水素生成物と、
（ｎ）Ｈ１６およびＨ２４の少なくとも一方を含む水素生成物と、
（ｏ）無機化合物ＭｘＸｙおよびＨ２を含み、Ｍが陽イオンであり、Ｘが陰イオンであり、Ｍ（ＭｘＸｙＨ２）ｎ（ｎは整数）のエレクトロスプレーイオン化飛行時間型二次イオン質量分析（ＥＳＩ−ＴｏＦ）および飛行時間型二次イオン質量分析（ＴｏＦ−ＳＩＭＳ）のピークの少なくとも１つを有する水素生成物と、
（ｐ）Ｋ（Ｋ２Ｈ２ＣＯ３）＋ｎおよびＫ（ＫＯＨＨ２）＋ｎのエレクトロスプレーイオン化飛行時間型二次イオン質量分析法（ＥＳＩ−ＴｏＦ）および飛行時間型二次イオン質量分析法（ＴｏＦ−ＳＩＭＳ）のピークの少なくとも１つをそれぞれ持つＫ２ＣＯ３Ｈ２およびＫＯＨＨ２少なくとも１つを含む水素生成物と、
（ｑ）金属水素化物を含み、金属が、Ｚｎ、Ｆｅ、Ｍｏ、Ｃｒ、Ｃｕ、Ｗ、および反磁性金属のうちの少なくとも１つを含む磁気水素生成物と、
（ｒ）属水素化物を含み、金属が、Ｚｎ、Ｆｅ、Ｍｏ、Ｃｒ、Ｃｕ、Ｗ、および磁化率測定により磁性を示す反磁性金属の少なくとも１つを含む水素生成物と、
（ｓ）電子常磁性共鳴（ＥＰＲ）分光法で活性がない金属を含み、ＥＰＲスペクトルが非常に高いｇ因子、非常に低いｇ因子、異常な線幅、および陽子分裂の少なくとも１つを含む水素生成物と、
（ｔ）ＥＰＲスペクトルが約２８００〜３１００Ｇで少なくとも１つのピークおよび約１０Ｇ〜５００ＧのΔＨを示す水素分子二量体を含む水素生成物と、
（ｕ）水素キャリアを含む負のガスクロマトグラフィーピークを有するガスを含む水素生成物と、
（ｖ）（１．７０１２７ａ０２）／ｐ２  ±１０％  （ｐは整数）の四重極モーメント／ｅを有する水素生成物と、
（ｗ）（Ｊ＋１）４４．３０ｃｍ−１±２０ｃｍ−１の範囲の整数ＪからＪ＋１への遷移に対する回転エネルギーが逆回転する分子二量体を含み、重水素を含む分子二量体の対応する回転エネルギーがプロトンを含む二量体の回転エネルギーの１／２であるプロトン性水素生成物と、
（ｘ）（ｉ）１．０２８Å±１０％の水素分子の分離距離、（ｉｉ）２３ｃｍ−１±１０％の水素分子間の振動エネルギー、および（ｉｉｉ）０．００１１ｅＶ±１０％の水素分子間のファンデルワールスエネルギーの群からの少なくとも１つのパラメーターを有する分子二量体を含む水素生成物と、
（ｙ）（ｉ）１．０２８Å±１０％の水素分子の分離距離、（ｉｉ）２３ｃｍ−１±１０％の水素分子間の振動エネルギー、および（ｉｉｉ）０．０１９ｅＶ±１０％の水素分子間のファンデルワールスエネルギーの群からの少なくとも１つのパラメーターを有する固体を含む水素生成物と、
（ｚ）（１）（ｉ）（Ｊ＋１）４４．３０ｃｍ−１±２０ｃｍ−１、（ｉｉ）（Ｊ＋１）２２．１５ｃｍ−１±１０ｃｍ−１、および（ｉｉｉ）２３ｃｍ−１±１０％のＦＴＩＲおよびラマンスペクトルシグネチャ、
（２）約１．０２８Å±１０％の水素分子分離を示すＸ線または中性子回折パターン、ならびに
（３）水素分子あたり約０．００１１ｅＶ±１０％の蒸発エネルギーの熱量測定の少なくとも１つを有する水素生成物と、
（ａａ）（１）（ｉ）（Ｊ＋１）４４．３０ｃｍ−１±２０ｃｍ−１、（ｉｉ）（Ｊ＋１）２２．１５ｃｍ−１±１０ｃｍ−１、および（ｉｉｉ）２３ｃｍ−１±１０％；のＦＴＩＲおよびラマンスペクトルシグネチャ、
（２）約１．０２８Å±１０％の水素分子分離を示すＸ線または中性子回折パターン、ならびに
（３）水素分子あたり約０．０１９ｅＶ±１０％の蒸発エネルギーの少なくとも１つを有する固体水素生成物と、
のうちの少なくとも１つの生成物を含む発電システム。
【請求項１６】
請求項１に記載の発電システムであって、
前記原子状水素と前記触媒との反応によって形成される水素生成物が有する特徴は、
（ａ）前記水素生成物が、１９４０ｃｍ−１±１０％のＨ２（１／４）回転エネルギーと他の高エネルギー特性が存在しないフィンガープリント領域のライベーション帯との少なくとも１つを含むフーリエ変換赤外スペクトル（ＦＴＩＲ）を有すること、
（ｂ）前記水素生成物が、高磁場マトリックスピークを含むプロトンマジック角回転核磁気共鳴スペクトル（１Ｈ  ＭＡＳ  ＮＭＲ）を有すること、
（ｃ）前記水素生成物が、１００℃〜１０００℃の温度領域での金属水素化物と水素ポリマーの少なくとも１つの分解を示す熱重量分析（ＴＧＡ）結果を有すること、
（ｄ）前記水素生成物が、互いに０．２３ｅＶから０．３ｅＶ離れた複数のピークを含む２６０ｎｍ領域に、Ｈ２（１／４）振動帯を含む電子ビーム励起発光スペクトルを有すること、
（ｅ）前記水素生成物が、互いに０．２３ｅＶから０．３ｅＶの間隔で配置された複数のピークを含む２６０ｎｍ領域のＨ２（１／４）振動帯を含み、ピーク強度が０Ｋ〜１５０Ｋの範囲の極低温で低下する電子ビーム励起発光スペクトルを有すること、
（ｆ）前記水素生成物が、２６０ｎｍ領域の２次のＨ２（１／４）回転振動帯が互いに約０．２３ｅＶから０．３ｅＶ離れた複数のピークを含むフォトルミネッセンスラマンスペクトルを有すること、
（ｇ）前記水素生成物が、１０００±２００ｃｍ−１の整数倍の間隔を有する５０００〜２０，０００ｃｍ−１の範囲の複数のピークを含む２次のＨ２（１／４）回転振動帯を含むフォトルミネッセンスラマンスペクトルを有すること、
（ｈ）前記水素生成物が１９４０ｃｍ−１±１０％にＨ２（１／４）回転ピークを含むラマンスペクトルを有すること、
（ｉ）前記水素生成物が４９０〜５００ｅＶでＨ２（１／４）の全エネルギーを含むＸ線光電子スペクトル（ＸＰＳ）を有すること、
（ｊ）前記水素生成物がマクロ凝縮物またはポリマーＨ（１／４）ｎ（ｎは３より大きい整数）を含むこと、
（ｋ）前記水素生成物が、１６．１２〜１６．１３の飛行時間二次イオン質量分析（ＴｏＦ−ＳＩＭＳ）ピークを有するマクロ凝縮物またはポリマーＨ（１／４）ｎ（ｎは３より大きい整数）を含むこと、
（ｌ）前記水素生成物が金属水素化物を含み、該金属が、Ｚｎ、Ｆｅ、Ｍｏ、Ｃｒ、Ｃｕ、およびＷの少なくとも１つを含み、水素がＨ（１／４）を含むこと、
（ｍ）前記水素生成物がＨ（１／４）１６およびＨ（１／４）２４の少なくとも一方を含むこと、
（ｎ）前記水素生成物が無機化合物ＭｘＸｙおよびＨ（１／４）２を含み、Ｍが陽イオンおよびＸが陰イオンであり、エレクトロスプレーイオン化飛行時間型二次イオン質量スペクトル（ＥＳＩ−ＴｏＦ）と飛行時間の二次イオン質量スペクトル（ＴｏＦ−ＳＩＭＳ）との少なくとも１つがＭ（ＭｘＸｙＨ（１／４）２）ｎ（ｎは整数）のピークを含むこと、
（ｏ）前記水素生成物がＫ２ＣＯ３Ｈ（１／４）２およびＫＯＨＨ（１／４）２の少なくとも１つを含み、エレクトロスプレーイオン化飛行時間型二次イオン質量スペクトル（ＥＳＩ−ＴｏＦ）および飛行時間型二次イオン質量スペクトル（ＴｏＦ−ＳＩＭＳ）の少なくとも１つがそれぞれＫ（Ｋ２Ｈ２ＣＯ３）＋ｎおよびＫ（ＫＯＨＨ２）＋ｎのピークを含むこと、
（ｐ）前記水素生成物が磁性であり、かつ金属水素化物を含み、該金属がＺｎ、Ｆｅ、Ｍｏ、Ｃｒ、Ｃｕ、Ｗ、および反磁性金属の少なくとも１つを含み、水素がＨ（１／４）であること、
（ｑ）前記水素生成物が金属水素化物を含み、該金属がＺｎ、Ｆｅ、Ｍｏ、Ｃｒ、Ｃｕ、Ｗ、および反磁性金属の少なくとも１つを含み、ＨがＨ（１／４）であり、生成物が磁化率測定により磁性を示すこと、
（ｒ）前記水素生成物が電子常磁性共鳴（ＥＰＲ）分光法で不活性の金属を含み、ＥＰＲスペクトルが２８００〜３１００Ｇに少なくとも１つのピークと１０〜５００ＧのΔＨとを示すこと、
（ｓ）前記水素生成物が［Ｈ２（１／４）］２を含み、ＥＰＲスペクトルが約２８００〜３１００Ｇの少なくとも１つのピークと１０Ｇ〜５００ＧのΔＨとを示すこと、
（ｔ）前記水素生成物が水素キャリアを含む負のガスクロマトグラフィーピークを有するＨ２（１／４）ガスを含むかまたは放出すること、
（ｕ）前記水素生成物が（１．７０１２７ａ０２）／４２  ±１０％  の四重極モーメント／ｅを有するＨ２（１／４）を含むこと、
（ｖ）前記水素生成物が、それぞれ約（Ｊ＋１）４４．３０ｃｍ−１±２０ｃｍ−１および約（Ｊ＋１）２２．１５ｃｍ−１±１０ｃｍ−１の範囲内である整数ＪからＪ＋１への遷移に対するエンドツーエンドの回転エネルギーを持つ［Ｈ２（１／４）］２または［Ｄ２（１／４）］２を含むこと、
（ｗ）前記水素生成物が、（ｉ）１．０２８Å±１０％のＨ２（１／４）分子の分離距離、（ｉｉ）２３ｃｍ−１±１０％のＨ２（１／４）分子間の振動エネルギー、および（ｉｉｉ）０．００１１ｅＶ±１０％のＨ２（１／４）分子間のファンデルワールスエネルギーの群からの少なくとも１つを有する［Ｈ２（１／４）］２を含むこと、ならびに、
（ｘ）前記水素生成物が、（ｉ）約１．０２８Å±１０％のＨ２（１／４）分子の分離距離、（ｉｉ）約２３ｃｍ−１±１０％のＨ２（１／４）分子間の振動エネルギー、および（ｉｉｉ）約０．０１９ｅＶ±１０％のＨ２（１／４）分子間のファンデルワールスエネルギーの群からの少なくとも１つを有する［Ｈ２（１／４）］２を含むこと、
（ｙ）前記［Ｈ２（１／４）］２生成物が、
（１）（ｉ）（Ｊ＋１）４４．３０ｃｍ−１±２０ｃｍ−１、（ｉｉ）（Ｊ＋１）２２．１５ｃｍ−１±１０ｃｍ−１および（ｉｉｉ）約２３ｃｍ−１±１０％の少なくとも１つのＦＴＩＲおよびラマンスペクトルシグネチャ、
（２）約１．０２８Å±１０％のＨ２（１／４）分子分離を示すＸ線または中性子回折パターン、ならびに
（３）Ｈ２（１／４）あたり約０．００１１ｅＶ±１０％の気化エネルギーの熱量測定の少なくとも１つを有し、さらに、
（ｚ）固体Ｈ２（１／４）生成物が、
（１）（ｉ）（Ｊ＋１）４４．３０ｃｍ−１±２０ｃｍ−１、（ｉｉ）（Ｊ＋１）２２．１５ｃｍ−１±１０ｃｍ−１、および（ｉｉｉ）２３ｃｍ−１±１０％のＦＴＩＲおよびラマンスペクトルシグネチャ、
（２）１．０２８Å±１０％の水素分子分離を示すＸ線または中性子回折パターン、ならびに
（３）Ｈ２（１／４）あたり０．０１９ｅＶ±１０％の蒸発エネルギーの熱量測定の少なくとも１つを有する、
うちの少なくとも１つを有する、発電システム。
【請求項１７】
請求項１に記載の電力システムであって、前記点火システムが、
（ａ）第１の電極および第２の電極と、
（ｂ）前記第１の電極および前記第２の電極と電気的に接触している溶融金属（例えば、溶融銀、溶融ガリウム等）の流と、
（ｃ）前記溶融金属を貯留槽から引き出し、導管（例えば、チューブ）を通して搬送して、前記導管を出る前記溶融金属流を生成するポンプを含む循環システムと、および
（ｄ）前記第１の電極と前記第２の電極と間に電位差を与えるように構成された前記電源とを備え、
前記溶融金属流が、前記第１の電極と前記第２の電極とに同時に接触して、前記電極間に電流を生成する、
電極システムを含む、電力システム。
【請求項１８】
請求項１７に記載の電極システムであって、
前記電極システムの電力はアーク電流を発生させるのに十分である電極システム。
【請求項１９】
電気回路であって、
（ａ）溶融金属を生成するための加熱手段と、
（ｂ）前記溶融金属を容器から導管を介して搬送し、前記導管から出る前記溶融金属流を発生させるためのポンピング手段と、
（ｃ）第１の電極と第２の電極との間に電位差を生じさせるための電力供給手段と電気的連通する第１の電極および第２の電極とを備え、
前記溶融金属流は、第１の電極と第の電極との間に電気回路を構成すべく第１の電極と第２の電極とに同時に接触している電気回路。
【請求項２０】
第１の電極と第２の電極とを備える電気回路において、改良点が、溶融金属流を前記電極に通して、その間に電流が流れることを可能にすることを含む電気回路。
【手続補正２】
【補正対象書類名】明細書
【補正対象項目名】０４３５
【補正方法】変更
【補正の内容】
【０４３５】
一実施形態では、開示の１つ等のハイドリノを含む物質の組成物が熱分解されるとともに、ガスクロマトグラフィーはＨ２（１／４）等のハイドリノガスを含む分解ガスで行われる。あるいは、ハイドリノガスは、Ｈ２Ｏを含むプラズマ、例えばアルゴン等の希ガス中のＨ２Ｏを維持することによって、元の位置で形成されたもの少なくとも１つである。プラズマは、約０．１ミリトル〜１０００トルの圧力範囲内であってよい。Ｈ２Ｏプラズマは、アルゴン等の希ガス等の別のガスを含み得る。例示的な実施形態では、１トルのＨ２Ｏ蒸気を含む大気圧アルゴンプラズマは、６ｋｅＶの電子ビームが密封された容器に含まれるガスに入射して維持されるもので、ビームが窒化ケイ素の窓を横切る。別の実施形態では、Ｈ２（１／４）等のハイドリノガスは、低温蒸留によって大気ガスから濃縮され得る。一実施形態では、アルゴン中のハイドリノは、大気からアルゴンを低温蒸留することによって得られる。Ａｇｉｌｅｎｔカラム（ＣＰ７５４０１５、ＣＰモレキュラーシーブ５Å、５０ｍ、０．３２ｍｍ、３０ｕｍ、１２．７ｃｍケージ）でのアルゴンガスの室温ガスクロマトグラフィー（ＧＣ）の結果の例を図２２に示す。負のピークは、アルゴンのピークが正であったアルゴンの３２分間の保持時間と比較して、７４分間の保持時間で観測された。サイズが小さく、平均自由行程が大きいため、Ｈ２（１／４）はＨ２キャリアガスよりも熱伝導性が高いと思われ、負のピークが観測される。水素よりも熱伝導性が高いガスは、知られていないことから、ハイドリノＨ２（１／４）は、図１２に示す負のピークと回転振動スペクトルとに基づく唯一の可能性である。Ｈ２（１／４）ガスはまた、本開示による水蒸気を含む大気中のＺｎまたはＳｎ線の起爆からのもの等のハイドリノ化合物の熱分解から得られてもよい。ガスサンプルは、非常に小さいＨ２（１／４）ガスが真空気密圧力容器からの急速な拡散により約８００℃等の高温での圧力の急激な低下が見られるため、ＧＣに迅速な負荷をかける必要がある。
《１》
電気エネルギーおよび熱エネルギーの少なくとも一方を発生させる発電システムであって、
圧力を大気圧よりも低く、大気圧と同じに、または大気圧を超えて維持できる少なくとも１つの容器と、
反応物であり、
（ａ）少なくとも１つの触媒の供給源、または新生Ｈ２Ｏを含む触媒、
（ｂ）Ｈ２Ｏの少なくとも１つの供給源またはＨ２Ｏ、
（ｃ）少なくとも１つの原子状水素の供給源または原子状水素、および
（ｄ）溶融金属を含む前記反応物と、
前記溶融金属の一部を含む少なくとも１つの貯留槽と溶融金属流を提供する注入器管が接続された溶融金属ポンプと、溶融金属流を受け取る少なくとも１つの非注入器貯留槽とを含む溶融金属注入器システムと、
プラズマを点火するために前記溶融金属の少なくとも１つの流れに電力を供給する電源を含む少なくとも１つの点火システムと、
電気エネルギーおよび熱エネルギーの少なくとも１つを発生させるために前記反応物の反応で消費される反応物を補充する少なくとも１つの反応物供給システムと、
電力および／または熱エネルギー出力への光および熱出力の少なくとも一方の少なくとも１つの電力変換器または出力システムと、を含むことを備える発電システム。
《２》
上記《１》に記載の発電システムであって、金属を溶融して溶融金属を含むためのヒータを、さらに含む発電システム。
《３》
上記《１》に記載の発電システムであって、溶媒金属回収システムをさらに含む発電システム。
《４》
上記《１》に記載の発電システムであって、前記溶媒金属回収システムは、溶融金属オーバーフローを止め、オーバーフローする溶融金属を通過する電流経路を中断する非注入貯留槽から注入器システム貯留槽への少なくとも１つの溶融金属オーバーフローチャネルを備える溶媒金属回収システム。
《５》
上記《１》の発電システムであって、前記溶媒金属回収システムは、前記注入器管の上方の高さで注入器システムの注入器管から溶融金属を受け取るための入口を有する非注入器貯留槽を備え、さらに、オーバーフローを分割するドリップ縁部を備える発電システム。
《６》
上記《５》に記載の発電システムであって、前記非注入器貯留槽の入口は平面にあり、平面は注入管からの溶融金属流の初期方向に対して垂直に配向される発電システム。
《７》
上記《６》に記載の発電システムであって、前記注入器システムの非注入器貯留槽および注入器管は、どちらも、地球の重力軸を横切る方向である水平軸から、ゼロよりも大きい角度で軸に沿って配置される発電システム。
《８》
上記《１》に記載の発電システムであって、前記角度が約２５°〜９０°の範囲内である発電システム。
《９》
上記《１》に記載の発電システムであって、前記注入器貯留槽がその中の溶融金属と接触する電極を備え、かつ前記非注入器貯留槽が前記注入器システムによって提供される溶融金属と接触する電極を備える発電システム。
《１０》
上記《９》に記載の発電システムであって．前記注入器および前記非注入器貯留槽の電極に反対の電圧を供給し、前記溶融金属流に電流および電力を供給して、反応物の反応により前記容器内にプラズマを形成する電源を備える発電システム。
《１１》
上記《１０》に記載の発電システムであって、前記電源が、反応物を反応させてプラズマを形成させるのに十分な大電流の電気エネルギーを送達する発電システム。
《１２》
上記《１０》に記載の発電システムであって、前記電源が、少なくとも１つの超コンデンサを含む発電システム。
《１３》
上記《１》に記載の発電システムであって、電磁ポンプの各々が、
（ａ）電極を介して溶融金属に供給される直流または交流電流源と一定または同相の交流ベクトル交差磁場源とを含む直流または交流伝導型、あるいは、
（ｂ）金属に交流電流を誘導する溶融金属の短絡ループを通る交流磁場源と同相ベクトル交差交流磁場とを含む誘導型の１つを備える発電システム。
《１４》
上記《１》に記載の発電システムであって、溶融金属点火システムの発電からの電流が、１０Ａ〜５０，０００Ａの範囲内である発電システム。
《１５》
上記《１》に記載の発電システムであって、前記溶融金属点火システムの回路が、点火により０Ｈｚ〜１０，０００Ｈｚの範囲内の点火周波数をさらに生じるべく、溶融金属流によって閉じられる発電システム。
《１６》
上記《１》に記載の発電システムであって、前記溶融金属が、銀、銀銅合金、および銅の少なくとも１つを含む発電システム。
《１７》
上記《１》に記載の発電システムであって、前記溶融金属は、融点が７００℃未満である発電システム。
《１８》
上記《１７》に記載の発電システムであって、前記溶融金属が、ビスマス、鉛、スズ、インジウム、カドミウム、好ましくはガリウム、アンチモン、または合金、例えばローズメタル、セロセーフ、ウッドメタル、フィールドメタル、セロロー１３６、セロロー１１７、Ｂｉ−Ｐｂ−Ｓｎ−Ｃｄ−Ｉｎ−Ｔｌ、およびガリンスタンの少なくとも１つを含む発電システム。
《１９》
上記《１》に記載の発電システムであって、真空ポンプと少なくとも１つの熱交換器とをさらに備える発電システム。
《２０》
上記《１》に記載の発電システムであって、前記少なくとも１つの貯留槽が、窒化ホウ素を含む発電システム。
《２１》
上記《１》に記載の発電システムであって、前記反応物が、水素、酸素、および水の少なくとも１つを含む容器ガスを含む発電システム。
《２２》
上記《２１》に記載の発電システムであって、前記容器ガスが、不活性ガスをさらに含む発電システム。
《２３》
上記《２２》に記載の発電システムであって、前記反応物の供給と前記不活性ガスの供給とをさらに備え、該供給が、前記容器ガスを０．０１トルから２００気圧の範囲内の圧力に維持する発電システム。
《２４》
上記《１》に記載の発電システムであって、前記反応エネルギー出力の少なくとも１つの電力変換器または出力システムが、熱光起電力変換器、光起電力変換器、光電変換器、電磁流体変換器、プラズマ力学変換器、熱電子変換器、熱電変換器、スターリングエンジン、超臨界ＣＯ２サイクル変換器、ブレイトンサイクル変換器、外燃機関型ブレイトンサイクルエンジンまたは変換器、ランキンサイクルエンジンまたは変換器、有機ランキンサイクル変換器、内燃機関型エンジン、ならびに熱エンジン、ヒータ、およびボイラーからなる群のうちの少なくとも１つを備える発電システム。
《２５》
上記《１》に記載の発電システムであって、前記容器が、前記容器の内部から光起電力変換器に光を送信するための光透過性光起電力（ＰＶ）窓部と、少なくとも１つの容器形状と、前記溶融金属が前記ＰＶ窓部を被膜するのを少なくとも部分的に防止するために圧力勾配を生じさせる少なくとも１つのバッフルと、を備える発電システム。
《２６》
上記《１》に記載の発電システムであって、前記容器形状は、前記ＰＶ窓部に向かって減少する断面積を含む発電システム。
《２７》
上記《２４》に記載の発電システムであって、集光型太陽電池を備え、該集光型太陽電池は、結晶シリコン、ゲルマニウム、ガリウムヒ素（ＧａＡｓ）、インジウムガリウム（ＩｎＧａＡｓ）、インジウムガリウムヒ素アンチモン（ＩｎＧａＡｓＳｂ）、リン化インジウムヒ素アンチモン（ＩｎＰＡｓＳｂ）、ＩｎＧａＰ／ＩｎＧａＡｓ／Ｇｅ、ＩｎＡｌＧａＰ／ＡｌＧａＡｓ／ＧａＩｎＮＡｓＳｂ／Ｇｅ、ＧａＩｎＰ／ＧａＡｓＰ／ＳｉＧｅ、ＧａＩｎＰ／ＧａＡｓＰ／Ｓｉ、ＧａＩｎＰ／ＧａＡｓＰ／Ｇｅ、ＧａＩｎＰ／ＧａＡｓＰ／Ｓｉ／ＳｉＧｅ、ＧａＩｎＰ／ＧａＡｓ／ＩｎＧａＡｓ、ＧａＩｎＰ／ＧａＡｓ／ＧａＩｎＮＡｓ、ＧａＩｎＰ／ＧａＡｓ／ＩｎＧａＡｓ／ＩｎＧａＡｓ、ＧａＩｎＰ／Ｇａ（Ｉｎ）Ａｓ／ＩｎＧａＡｓ、ＧａＩｎＰ−ＧａＡｓ−ウェーハ−ＩｎＧａＡｓ、ＧａＩｎＰ−Ｇａ（Ｉｎ）Ａｓ−Ｇｅ、ＧａＩｎＰ−ＧａＩｎＡｓ−Ｇｅ、ＩＩＩ族窒化物、ＧａＮ、ＡｌＮ、ＧａＡｌＮ、およびＩｎＧａＮから選択される少なくとも１つの化合物を含む発電システム。
《２８》
上記《２４》に記載の発電システムであって、前記電磁流体力電力変換器は、反応容器に接続されたノズル、電磁流体チャネル、電極、磁石、金属収集システム、金属再循環システム、熱交換器、および任意にガス再循環システムを備える発電システム。
《２９》
上記《１》または《２８》に記載の発電システムであって、発電システムの少なくとも１つのコンポーネントが、セラミックおよび金属の少なくとも一方を含む発電システム。
《３０》
上記《２９》に記載の発電システムであって、前記セラミックが、金属酸化物、アルミナ、ジルコニア、マグネシア、ハフニア、炭化ケイ素、炭化ジルコニウム、二ホウ化ジルコニウム、窒化ケイ素、およびガラスセラミックの少なくとも１つを含む発電システム。
《３１》
上記《３０》に記載の発電システムであって、前記金属がステンレス鋼および高融点金属の少なくとも一方を含む発電システム。
《３２》
上記《２８》に記載の発電システムであって、前記溶融金属が銀を含み、かつ電磁流体変換器が酸素源をさらに備えて銀粒子ナノ粒子を形成し、電磁流体ノズルを介してナノ粒子を加速し、該粒子の運動エネルギーが容器内で発生するエネルギー源を付与する発電システム。
《３３》
上記《３２》に記載の発電システムであって、前記反応物供給システムが、銀ナノ粒子を形成するべく、酸素源をさらに供給および制御する発電システム。
《３４》
上記《３２》に記載の発電システムであって、前記銀ナノ粒子の前記運動エネルギーの蓄積の少なくとも一部が前記電磁流体チャネルで電気エネルギーに変換され、前記ナノ粒子が前記金属収集システム内で溶融金属として合体し、該溶融金属が少なくとも部分的に酸素を吸収し、吸収された前記酸素を含む金属が前記金属再循環システムによって前記注入器貯留槽に戻され、前記酸素が前記容器内のプラズマによって放出される発電システム。
《３５》
上記《３４》に記載の発電システムであって、プラズマが前記電磁流体チャネルと前記金属回収システムとで維持されて、前記溶融金属による前記酸素の吸収を促進する発電システム。
《３６》
上記《１３》および《２８》に記載の発電システムであって、前記電磁ポンプが、金属再循環システムのポンプを含む第１の段階と金属注入器システムのポンプを含む第２の段階とを含む二段式ポンプを備える発電システム。
《３７》
上記《１》に記載の発電システムであって、前記原子状水素と前記触媒との反応によって形成される前記水素生成物が、
（ａ）ラマンピークが１９００〜２０００ｃｍ−１の水素生成物と、
（ｂ）０．２３〜０．２５ｅＶの整数倍の間隔で配置された複数のラマンピークを有する水素生成物と、
（ｃ）１９００〜２０００ｃｍ−１に赤外線ピークを持つ水素生成物と、
（ｄ）０．２３〜０．２５ｅＶの整数倍の間隔で配置された複数の赤外線ピークを有する水素生成物と、
（ｅ）０．２３〜０．３ｅＶの整数倍の間隔を有する、２００〜３００ｎｍの範囲の複数のＵＶ蛍光発光スペクトルピークを有する水素生成物と、
（ｆ）０．２〜０．３ｅＶの整数倍の間隔を有する２００〜３００ｎｍの範囲に複数の電子ビーム放出スペクトルピークを有する水素生成物と、
（ｇ）５０００±２０，０００ｃｍ−１の範囲の複数のラマンスペクトルピークを有し、１０００±２００ｃｍ−１の整数倍の間隔を有する水素生成物と、
（ｈ）４９０〜５２５ｅＶの範囲のエネルギーでＸ線光電子分光法のピークを有する水素生成物と、
（ｉ）高磁場ＭＡＳ  ＮＭＲマトリックスシフトを引き起こす水素生成物と、
（ｊ）ＴＭＳに対して−５ｐｐｍを超える高磁場ＭＡＳ  ＮＭＲまたは液体ＮＭＲシフトを持つ水素生成物と、
（ｋ）マクロ凝縮物またはポリマーＨｎ（ｎは３より大きい整数）を含む水素生成物と、
（ｌ）飛行時間二次イオン質量分析（ＴｏＦ−ＳＩＭＳ）ピークが１６．１２〜１６．１３であるマクロ凝縮物またはポリマーＨｎ（ｎは３より大きい整数）を含む水素生成物と、
（ｍ）金属が、Ｚｎ、Ｆｅ、Ｍｏ、Ｃｒ、Ｃｕ、およびＷの少なくとも１つを含む金属水素化物を含む水素生成物と、
（ｎ）Ｈ１６およびＨ２４の少なくとも一方を含む水素生成物と、
（ｏ）無機化合物ＭｘＸｙおよびＨ２を含み、Ｍが陽イオンであり、Ｘが陰イオンであり、Ｍ（ＭｘＸｙＨ２）ｎ（ｎは整数）のエレクトロスプレーイオン化飛行時間型二次イオン質量分析（ＥＳＩ−ＴｏＦ）および飛行時間型二次イオン質量分析（ＴｏＦ−ＳＩＭＳ）のピークの少なくとも１つを有する水素生成物と、
（ｐ）Ｋ（Ｋ２Ｈ２ＣＯ３）＋ｎおよびＫ（ＫＯＨＨ２）＋ｎのエレクトロスプレーイオン化飛行時間型二次イオン質量分析法（ＥＳＩ−ＴｏＦ）および飛行時間型二次イオン質量分析法（ＴｏＦ−ＳＩＭＳ）のピークの少なくとも１つをそれぞれ持つＫ２ＣＯ３Ｈ２およびＫＯＨＨ２少なくとも１つを含む水素生成物と、
（ｑ）金属水素化物を含み、金属が、Ｚｎ、Ｆｅ、Ｍｏ、Ｃｒ、Ｃｕ、Ｗ、および反磁性金属のうちの少なくとも１つを含む磁気水素生成物と、
（ｒ）属水素化物を含み、金属が、Ｚｎ、Ｆｅ、Ｍｏ、Ｃｒ、Ｃｕ、Ｗ、および磁化率測定により磁性を示す反磁性金属の少なくとも１つを含む水素生成物と、
（ｓ）電子常磁性共鳴（ＥＰＲ）分光法で活性がない金属を含み、ＥＰＲスペクトルが非常に高いｇ因子、非常に低いｇ因子、異常な線幅、および陽子分裂の少なくとも１つを含む水素生成物と、
（ｔ）ＥＰＲスペクトルが約２８００〜３１００Ｇで少なくとも１つのピークおよび約１０Ｇ〜５００ＧのΔＨを示す水素分子二量体を含む水素生成物と、
（ｕ）水素キャリアを含む負のガスクロマトグラフィーピークを有するガスを含む水素生成物と、
（ｖ）（１．７０１２７ａ０２）／ｐ２  ±１０％  （ｐは整数）の四重極モーメント／ｅを有する水素生成物と、
（ｗ）（Ｊ＋１）４４．３０ｃｍ−１±２０ｃｍ−１の範囲の整数ＪからＪ＋１への遷移に対する回転エネルギーが逆回転する分子二量体を含み、重水素を含む分子二量体の対応する回転エネルギーがプロトンを含む二量体の回転エネルギーの１／２であるプロトン性水素生成物と、
（ｘ）（ｉ）１．０２８Å±１０％の水素分子の分離距離、（ｉｉ）２３ｃｍ−１±１０％の水素分子間の振動エネルギー、および（ｉｉｉ）０．００１１ｅＶ±１０％の水素分子間のファンデルワールスエネルギーの群からの少なくとも１つのパラメーターを有する分子二量体を含む水素生成物と、
（ｙ）（ｉ）１．０２８Å±１０％の水素分子の分離距離、（ｉｉ）２３ｃｍ−１±１０％の水素分子間の振動エネルギー、および（ｉｉｉ）０．０１９ｅＶ±１０％の水素分子間のファンデルワールスエネルギーの群からの少なくとも１つのパラメーターを有する固体を含む水素生成物と、
（ｚ）（１）（ｉ）（Ｊ＋１）４４．３０ｃｍ−１±２０ｃｍ−１、（ｉｉ）（Ｊ＋１）２２．１５ｃｍ−１±１０ｃｍ−１、および（ｉｉｉ）２３ｃｍ−１±１０％のＦＴＩＲおよびラマンスペクトルシグネチャ、
（２）約１．０２８Å±１０％の水素分子分離を示すＸ線または中性子回折パターン、ならびに
（３）水素分子あたり約０．００１１ｅＶ±１０％の蒸発エネルギーの熱量測定の少なくとも１つを有する水素生成物と、
（ａａ）（１）（ｉ）（Ｊ＋１）４４．３０ｃｍ−１±２０ｃｍ−１、（ｉｉ）（Ｊ＋１）２２．１５ｃｍ−１±１０ｃｍ−１、および（ｉｉｉ）２３ｃｍ−１±１０％；のＦＴＩＲおよびラマンスペクトルシグネチャ、
（２）約１．０２８Å±１０％の水素分子分離を示すＸ線または中性子回折パターン、ならびに
（３）水素分子あたり約０．０１９ｅＶ±１０％の蒸発エネルギーの少なくとも１つを有する固体水素生成物と
のうちの少なくとも１つの生成物を含む発電システム。
《３８》
上記《１》に記載の発電システムであって、
前記原子水素と前記触媒との反応によって形成される前記水素生成物が、Ｈ（１／４）およびＨ２（１／４）の少なくとも１つを含み、かつ前記水素生成物が有する特徴は、
（ａ）前記水素生成物が、１９４０ｃｍ−１±１０％のＨ２（１／４）回転エネルギーと他の高エネルギー特性が存在しないフィンガープリント領域のライベーション帯との少なくとも１つを含むフーリエ変換赤外スペクトル（ＦＴＩＲ）を有すること、
（ｂ）前記水素生成物が、高磁場マトリックスピークを含むプロトンマジック角回転核磁気共鳴スペクトル（１Ｈ  ＭＡＳ  ＮＭＲ）を有すること、
（ｃ）前記水素生成物が、１００℃〜１０００℃の温度領域での金属水素化物と水素ポリマーの少なくとも１つの分解を示す熱重量分析（ＴＧＡ）結果を有すること、
（ｄ）前記水素生成物が、互いに０．２３ｅＶから０．３ｅＶ離れた複数のピークを含む２６０ｎｍ領域に、Ｈ２（１／４）振動帯を含む電子ビーム励起発光スペクトルを有すること、
（ｅ）前記水素生成物が、互いに０．２３ｅＶから０．３ｅＶの間隔で配置された複数のピークを含む２６０ｎｍ領域のＨ２（１／４）振動帯を含み、ピーク強度が０Ｋ〜１５０Ｋの範囲の極低温で低下する電子ビーム励起発光スペクトルを有すること、
（ｆ）前記水素生成物が、２６０ｎｍ領域の２次のＨ２（１／４）回転振動帯が互いに約０．２３ｅＶから０．３ｅＶ離れた複数のピークを含むフォトルミネッセンスラマンスペクトルを有すること、
（ｇ）前記水素生成物が、１０００±２００ｃｍ−１の整数倍の間隔を有する５０００〜２０，０００ｃｍ−１の範囲の複数のピークを含む２次のＨ２（１／４）回転振動帯を含むフォトルミネッセンスラマンスペクトルを有すること、
（ｈ）前記水素生成物が１９４０ｃｍ−１±１０％にＨ２（１／４）回転ピークを含むラマンスペクトルを有すること、
（ｉ）前記水素生成物が４９０〜５００ｅＶでＨ２（１／４）の全エネルギーを含むＸ線光電子スペクトル（ＸＰＳ）を有すること、
（ｊ）前記水素生成物がマクロ凝縮物またはポリマーＨ（１／４）ｎ（ｎは３より大きい整数）を含むこと、
（ｋ）前記水素生成物が、１６．１２〜１６．１３の飛行時間二次イオン質量分析（ＴｏＦ−ＳＩＭＳ）ピークを有するマクロ凝縮物またはポリマーＨ（１／４）ｎ（ｎは３より大きい整数）を含むこと、
（ｌ）前記水素生成物が金属水素化物を含み、該金属が、Ｚｎ、Ｆｅ、Ｍｏ、Ｃｒ、Ｃｕ、およびＷの少なくとも１つを含み、水素がＨ（１／４）を含むこと、
（ｍ）前記水素生成物がＨ（１／４）１６およびＨ（１／４）２４の少なくとも一方を含むこと、
（ｎ）前記水素生成物が無機化合物ＭｘＸｙおよびＨ（１／４）２を含み、Ｍが陽イオンおよびＸが陰イオンであり、エレクトロスプレーイオン化飛行時間型二次イオン質量スペクトル（ＥＳＩ−ＴｏＦ）と飛行時間の二次イオン質量スペクトル（ＴｏＦ−ＳＩＭＳ）との少なくとも１つがＭ（ＭｘＸｙＨ（１／４）２）ｎ（ｎは整数）のピークを含むこと、
（ｏ）前記水素生成物がＫ２ＣＯ３Ｈ（１／４）２およびＫＯＨＨ（１／４）２の少なくとも１つを含み、エレクトロスプレーイオン化飛行時間型二次イオン質量スペクトル（ＥＳＩ−ＴｏＦ）および飛行時間型二次イオン質量スペクトル（ＴｏＦ−ＳＩＭＳ）の少なくとも１つがそれぞれＫ（Ｋ２Ｈ２ＣＯ３）＋ｎおよびＫ（ＫＯＨＨ２）＋ｎのピークを含むこと、
（ｐ）前記水素生成物が磁性であり、かつ金属水素化物を含み、該金属がＺｎ、Ｆｅ、Ｍｏ、Ｃｒ、Ｃｕ、Ｗ、および反磁性金属の少なくとも１つを含み、水素がＨ（１／４）であること、
（ｑ）前記水素生成物が金属水素化物を含み、該金属がＺｎ、Ｆｅ、Ｍｏ、Ｃｒ、Ｃｕ、Ｗ、および反磁性金属の少なくとも１つを含み、ＨがＨ（１／４）であり、生成物が磁化率測定により磁性を示すこと、
（ｒ）前記水素生成物が電子常磁性共鳴（ＥＰＲ）分光法で不活性の金属を含み、ＥＰＲスペクトルが２８００〜３１００Ｇに少なくとも１つのピークと１０〜５００ＧのΔＨとを示すこと、
（ｓ）前記水素生成物が［Ｈ２（１／４）］２を含み、ＥＰＲスペクトルが約２８００〜３１００Ｇの少なくとも１つのピークと１０Ｇ〜５００ＧのΔＨとを示すこと、
（ｔ）前記水素生成物が水素キャリアを含む負のガスクロマトグラフィーピークを有するＨ２（１／４）ガスを含むかまたは放出すること、
（ｕ）前記水素生成物が（１．７０１２７ａ０２）／４２  ±１０％  の四重極モーメント／ｅを有するＨ２（１／４）を含むこと、
（ｖ）前記水素生成物が、それぞれ約（Ｊ＋１）４４．３０ｃｍ−１±２０ｃｍ−１および約（Ｊ＋１）２２．１５ｃｍ−１±１０ｃｍ−１の範囲内である整数ＪからＪ＋１への遷移に対するエンドツーエンドの回転エネルギーを持つ［Ｈ２（１／４）］２または［Ｄ２（１／４）］２を含むこと、
（ｗ）前記水素生成物が、（ｉ）１．０２８Å±１０％のＨ２（１／４）分子の分離距離、（ｉｉ）２３ｃｍ−１±１０％のＨ２（１／４）分子間の振動エネルギー、および（ｉｉｉ）０．００１１ｅＶ±１０％のＨ２（１／４）分子間のファンデルワールスエネルギーの群からの少なくとも１つを有する［Ｈ２（１／４）］２を含むこと、ならびに、
（ｘ）前記水素生成物が、（ｉ）約１．０２８Å±１０％のＨ２（１／４）分子の分離距離、（ｉｉ）約２３ｃｍ−１±１０％のＨ２（１／４）分子間の振動エネルギー、および（ｉｉｉ）約０．０１９ｅＶ±１０％のＨ２（１／４）分子間のファンデルワールスエネルギーの群からの少なくとも１つを有する［Ｈ２（１／４）］２を含むこと、
（ｙ）前記［Ｈ２（１／４）］２生成物が、
（１）（ｉ）（Ｊ＋１）４４．３０ｃｍ−１±２０ｃｍ−１、（ｉｉ）（Ｊ＋１）２２．１５ｃｍ−１±１０ｃｍ−１および（ｉｉｉ）約２３ｃｍ−１±１０％の少なくとも１つのＦＴＩＲおよびラマンスペクトルシグネチャ、
（２）約１．０２８Å±１０％のＨ２（１／４）分子分離を示すＸ線または中性子回折パターン、ならびに
（３）Ｈ２（１／４）あたり約０．００１１ｅＶ±１０％の気化エネルギーの熱量測定の少なくとも１つを有し、さらに、
（ｚ）固体Ｈ２（１／４）生成物が、
（１）（ｉ）（Ｊ＋１）４４．３０ｃｍ−１±２０ｃｍ−１、（ｉｉ）（Ｊ＋１）２２．１５ｃｍ−１±１０ｃｍ−１、および（ｉｉｉ）２３ｃｍ−１±１０％のＦＴＩＲおよびラマンスペクトルシグネチャ、
（２）１．０２８Å±１０％の水素分子分離を示すＸ線または中性子回折パターン、ならびに
（３）Ｈ２（１／４）あたり０．０１９ｅＶ±１０％の蒸発エネルギーの熱量測定の少なくとも１つを有する、ことを少なくとも１つ有する発電システム。
《３９》
上記《３７》に記載の発電システムであって、前記原子水素と前記触媒との反応によって形成される前記水素生成物が、Ｈ（１／ｐ）、Ｈ２（１／ｐ）、およびＨ−（１／ｐ）単独あるいは（ｉ）水素以外の元素、（ｉｉ）Ｈ＋、通常のＨ２、通常のＨ−、および通常のＨ３＋の少なくとも１つを含む通常の水素種類、（ｉｉｉ）有機分子種、ならびに（ｉｖ）無機種の少なくとも１つとの複合体の群から選択されるハイドリノ種の少なくとも１つを含む発電システム。
《４０》
上記《３７》に記載の発電システムであって、
原子状水素と触媒との反応により形成される水素生成物は、オキシアニオン化合物を含む発電システム。
《４１》
上記《３７》に記載の発電システムであって、前記原子水素と前記触媒との反応によって形成される前記水素生成物が、
（ａ）ＭＨ、ＭＨ２、またはＭ２Ｈ２（式中、Ｍはアルカリカチオン、Ｈはヒドリノ種）、
（ｂ）ＭＨｎ（式中、ｎは１または２、Ｍはアルカリ土類カチオン、Ｈはハイドリノ種）、
（ｃ）ＭＨＸ（式中、Ｍはアルカリカチオン、Ｘは、ハロゲン原子等の中性原子、分子、またはハロゲン陰イオン等の単一負帯電アニオンのいずれか、およびＨはヒドリノ種）、
（ｄ）ＭＨＸ（式中、Ｍはアルカリ土類カチオン、Ｘは単一負帯電アニオン、およびＨはヒドリノ種）、
（ｅ）ＭＨＸ（式中、Ｍはアルカリ土類カチオン、Ｘは二重負帯電アニオン、およびＨはヒドリノ種）、
（ｆ）Ｍ２ＨＸ（式中、Ｍはアルカリカチオン、Ｘは単一負帯電アニオン、およびＨはヒドリノ種）、
（ｇ）ＭＨｎ（式中、ｎは整数、Ｍはアルカリ陽イオン、化合物の水素含有量Ｈｎは少なくとも１つのハイドリノ種を含む）、
（ｈ）Ｍ２Ｈｎ（式中、ｎは整数、Ｍはアルカリ土類カチオン、化合物の水素含有量Ｈｎは少なくとも１つのハイドリノ種を含む）、
（ｉ）Ｍ２ＸＨｎ（式中、ｎは整数、Ｍはアルカリ土類カチオン、Ｘは単一負帯電アニオ、化合物の水素含有量Ｈｎは少なくとも１つのハイドリノ種を含む）、
（ｊ）Ｍ２ＸＨｎ（式中、ｎは１または２、ｎは１または２、Ｍはアルカリ土類カチオン、Ｘは単一負帯電アニオン、化合物の水素含有量Ｈｎは少なくとも１つのハイドリノ種を含む）、
（ｋ）Ｍ２Ｘ３Ｈ（式中、Ｍはアルカリ土類カチオン、Ｘは単一負帯電アニオン、Ｈはハイドリノ種）、
（ｌ）Ｍ２ＸＨｎ（式中、ｎは１または２、Ｍはアルカリ土類カチオン、Ｘは二重負帯電アニオン、化合物の水素含有量Ｈｎは少なくとも１つのハイドリノ種）、
（ｍ）Ｍ２ＸＸ’Ｈ（式中、Ｍはアルカリ土類カチオン、Ｘは単一負帯電アニオン、Ｘ’は二重負帯電アニオン、Ｈはハイドリノ種）、
（ｎ）ＭＭ’Ｈｎ（式中、ｎは１〜３の整数、Ｍはアルカリ土類カチオン、Ｍ’はアルカリ金属カチオン、化合物の水素含有Ｈｎは少なくとも１つのハイドリノ種を含む）、
（ｏ）ＭＭ’ＸＨｎ（式中、ｎは１または２、Ｍはアルカリ土類カチオン、Ｍ’はアルカリ金属カチオン、Ｘは単一負帯電アニオン、化合物の水素含有量Ｈｎは少なくとも１つのハイドリノ種を含む）、
（ｐ）ＭＭ’ＸＨ（式中、Ｍはアルカリ土類カチオン、Ｍ’はアルカリ金属カチオン、Ｘは二重負帯電アニオン、およびＨはハイドリノ種）、
（ｑ）ＭＭ’ＸＸ’Ｈ（式中、Ｍはアルカリ土類カチオン、Ｍ’はアルカリ金属カチオン、ＸおよびＸ’は単一負帯電アニオン、Ｈはハイドリノ種）、
（ｒ）ＭＸＸ’Ｈｎ（式中、ｎは１から５までの整数、Ｍはアルカリまたはアルカリ土類カチオン、Ｘは単一または二重負帯電アニオン、Ｘ’は金属もしくは半金属、遷移元素、内部遷移元素、または希土類元素、および化合物の水素含有量Ｈｎは少なくとも１つのハイドリノ種を含む）、
（ｓ）ＭＨｎ（式中、ｎは整数、Ｍは遷移元素、内部遷移元素、または希土類元素等のカチオン、化合物の水素含有量Ｈｎは少なくとも１つのハイドリノ種を含む）、
（ｔ）ＭＸＨｎ（式中、ｎは整数、Ｍはアルカリカチオン、アルカリ土類カチオン等のカチオン、Ｘは遷移元素、内部遷移元素、または希土類元素カチオン等の別のカチオン等、化合物は少なくとも１つのハイドリノ種を含む）、
（ｕ）（ＭＨｍＭＣＯ３）ｎ（式中、Ｍはアルカリカチオンまたは他の＋１カチオン、ｍおよびｎはそれぞれ整数、ならびに化合物の水素含有量Ｈｍは少なくとも１つのハイドリノ種を含む）、
（ｖ）（ＭＨｍＭＮＯ３）＋ｎｎＸ−）（式中、Ｍはアルカリカチオンまたは他の＋１カチオン、ｍおよびｎはそれぞれ整数、Ｘは単一負帯電アニオン、化合物の水素含有量Ｈｍは少なくとも１つのハイドリノ種を含む）、
（ｗ）（ＭＨＭＮＯ３）ｎ（式中、Ｍはアルカリカチオンまたは他の＋１カチオンであり、ｎは整数、および化合物の水素含有量Ｈは少なくとも１つのハイドリノ種を含む）、
（ｘ）（ＭＨＭＯＨ）ｎ（式中、Ｍはアルカリカチオンまたは他の＋１カチオン、ｎは整数、および化合物の水素含有量Ｈは少なくとも１つのハイドリノ種を含む）、
（ｙ）（ＭＨｍＭ’Ｘ）ｎ（式中、ｍおよびｎはそれぞれ整数、ＭおよびＭ’はそれぞれアルカリまたはアルカリ土類カチオン、Ｘは単一または二重負帯電アニオン、ならびに化合物の水素含有量Ｈｍは少なくとも１つのハイドリノ種を含む）、さらに、
（ｚ）（ＭＨｍＭ’Ｘ‘）＋ｎｎＸ−（（式中、ｍおよびｎはそれぞれ整数、ＭおよびＭ’はそれぞれアルカリまたはアルカリ土類陽イオン、ＸおよびＸ’は単一または二重負帯電アニオン、ならびに化合物の水素含有量Ｈｍは少なくとも１つのハイドリノ種を含む）
の群から選択される式を有する少なくとも１つの化合物を含む発電システム。
《４２》
上記《４１》に記載の発電システムであって、前記原子水素と触媒との反応によって形成される前記水素化合物生成物のアニオンが、１つ又はそれ以上の単一負帯電アニオン、ハロゲン化物イオン、水酸化物イオン、炭酸水素イオン、硝酸イオンを含み、二重負帯電アニオンが、炭酸イオン、酸化物、および硫酸イオンである発電システム。
《４３》
上記《４２》に記載の発電システムであって、前記原子水素と前記触媒との反応によって形成される前記水素生成物が、結晶格子に埋め込まれた少なくとも１つのハイドリノ種を含む発電システム。
《４４》
上記《４３》に記載の発電システムであって、前記格子に埋め込まれたＨ（１／ｐ）、Ｈ２（１／ｐ）、およびＨ−（１／ｐ）の少なくとも１つを含む発電システム。
《４５》
上記《４４》に記載の発電システムであって、前記塩格子が、アルカリ塩、アルカリハロゲン化物、アルカリ水酸化物、アルカリ土類塩、アルカリ土類ハロゲン化物、およびアルカリ土類水酸化物の少なくとも１つを含む発電システム。
《４６》
電極システムであって、
（ａ）第１の電極および第２の電極と、
（ｂ）前記第１の電極および前記第２の電極と電気的に接触している溶融金属（例えば、溶融銀、溶融ガリウム等）の流と、
（ｃ）前記溶融金属を貯留槽から引き出し、導管（例えば、チューブ）を通して搬送して、前記導管を出る前記溶融金属流を生成するポンプを含む循環システムと、
（ｄ）前記第１の電極と前記第２の電極と間に電位差を与えるように構成された電源とを備え、
前記溶融金属流が、前記第１の電極と前記第２の電極とに同時に接触して、前記電極間に電流を生成する電極システム。
《４７》
上記《１》に記載の電極システムであって、
前記電極システムの電力はアーク電流を発生させるのに十分である電極システム。
《４８》
電気回路であって、
（ａ）溶融金属を生成するための加熱手段と、
（ｂ）前記溶融金属を容器から導管を介して搬送し、前記導管から出る前記溶融金属流を発生させるためのポンピング手段と、
（ｃ）第１の電極と第２の電極との間に電位差を生じさせるための電力供給手段と電気的連通する第１の電極および第２の電極とを備え、
前記溶融金属流は、第１の電極と第の電極との間に電気回路を構成すべく第１の電極と第２の電極とに同時に接触している電気回路。
《４９》
第１の電極と第２の電極とを備える電気回路において、改良点が、溶融金属流を前記電極に通して、その間に電流が流れることを可能にすることを含む電気回路。